(57)【特許請求の範囲】
【請求項１】
タッチセンシング期間が到来した後、駆動電極にセンシングパルスが供給される前までのタッチ準備期間の間、パネルに形成されているデータラインをグラウンドに連結させる段階と、
前記タッチ準備期間の以後、前記タッチセンシング期間が終了するまで、前記駆動電極に前記センシングパルスが供給される間には、前記データラインをフローティングする段階と、を含む表示装置駆動方法。
【請求項２】
前記センシングパルスを供給する段階は、
前記タッチセンシング期間中、前記駆動電極に前記センシングパルスが供給されるセンシングパルス出力期間には、前記データラインをフローティングさせ、前記タッチセンシング期間中、前記駆動電極に前記センシングパルスが供給されないセンシングパルス未出力期間には、前記データラインをグラウンドに連結させる過程を反復的に行う、ことを特徴とする請求項１に記載の表示装置駆動方法。
【請求項３】
複数の駆動電極と受信電極で形成されるタッチパネルが内蔵されたパネルと、
タッチセンシング期間に前記駆動電極にセンシングパルスを供給するタッチ感知部と、
映像出力期間に前記パネルを駆動して前記パネルを通じて映像が出力されるようにする駆動部と、
前記タッチセンシング期間中、前記センシングパルスが前記駆動電極に供給されないセンシングパルス未出力期間にはデータラインをグラウンドに連結させるデータライン制御部と、を含む表示装置。
【請求項４】
前記データライン制御部は、
前記タッチセンシング期間が到来した後、前記駆動電極にセンシングパルスが供給される前までのタッチ準備期間の間、前記パネルに形成されているデータラインをグラウンドに連結させ、
前記タッチ準備期間の以後、前記タッチセンシング期間が終了するまで、前記駆動電極に前記センシングパルスが供給されるセンシングパルス出力期間には前記データラインをフローティングさせる、ことを特徴とする請求項３に記載の表示装置。
【請求項５】
前記データライン制御部は、
前記タッチセンシング期間中、前記駆動電極に前記センシングパルスが供給されるセンシングパルス出力期間には前記データラインをフローティングさせ、前記タッチセンシング期間中、前記センシングパルス未出力期間には前記データラインをグラウンドに連結させる過程を反復的に行う、ことを特徴とする請求項３に記載の表示装置。
【請求項６】
前記データライン制御部は、
前記駆動部から受信されるデータラインシンク信号によって、前記データラインをグラウンドに連結させたり、又は前記データラインをフローティングさせる、ことを特徴とする請求項３に記載の表示装置。
【請求項７】
前記駆動部は、前記パネルに形成されているデータラインにデータ電圧を供給するデータドライバーを含み、
前記データライン制御部は、前記データドライバーと連結されている、ことを特徴とする請求項３に記載の表示装置。
【請求項８】
前記データライン制御部は、前記データラインの数に対応する数のスイッチを含み、
前記スイッチ各々は、グラウンドと連結されている第１の端子と、前記データドライバーと連結されている第２の端子と、前記データラインと連結されている第３の端子及びフローティングされている第４の端子とを含む、請求項７に記載の表示装置 。
【請求項９】
前記データライン制御部は、前記データドライバーと一体に形成されている、ことを特徴とする請求項７に記載の表示装置。
【請求項１０】
前記スイッチ各々は、
前記タッチセンシング期間中、前記センシングパルスが前記駆動電極に供給されないセンシングパルス未出力期間には前記駆動部から受信されるデータラインシンク信号によって、前記第１の端子を前記第３の端子と連結させ、
前記タッチセンシング期間中、前記センシングパルスが前記駆動電極に供給されるセンシングパルス出力期間には前記データラインシンク信号によって前記第４の端子を前記第３の端子と連結させる、ことを特徴とする請求項８に記載の表示装置。
【発明の詳細な説明】
【技術分野】
【０００１】
本発明は、表示装置及びその駆動方法に関するものであって、特に、タッチパネルがパネルに内蔵されている表示装置及びその駆動方法に関するものである。
【背景技術】
【０００２】
タッチパネルは、液晶表示装置（Liquid Crystal Display、ＬＣＤ）、電界放出表示装置（Field Emission Display、ＦＥＤ）、プラズマディスプレイパネル（Plasma Display Panel、ＰＤＰ）、有機発光表示装置（ＯＬＥＤ：Organic Light Emitting Display Device）、電気泳動表示装置（Electrophoretic Display、ＥＰＤ）などのような表示装置に設けられ、ユーザーが表示装置を見ながら指やペンなどで画面を直接に接触して情報を入力できるようにする、入力装置の一種である。
【０００３】
特に、最近は、スマートフォン、タブレットＰＣなどのような携帯用端末のスリム化のため、表示装置のパネルの内部にタッチパネルを構成する素子が内蔵される、インセルタイプの表示装置に対する需要が増加している。
【０００４】
インセルタイプの表示装置は、ミューチュアル方式と、セルフ静電容量方式に区分される。
【０００５】
図１は、従来のミューチュアル方式を利用したインセル表示装置の構成を示す例示図であり、図２は、従来のミューチュアル方式を利用したインセル表示装置での映像出力期間とタッチセンシング期間を示す波形図である。図３及び図４は、従来のミューチュアル方式を利用したインセル表示装置に適用されるデータラインの波形図である。ここで、図３及び図４の（ａ）は、データラインの波形を示す例示図であり、図３及び図４の（ｂ）は、映像出力期間（Ｄｉｓｐｌａｙ）及びタッチセンシング期間（Ｔｏｕｃｈ）を区分するタッチシンク信号を示す。
【０００６】
ミューチュアル方式を利用したインセル表示装置（以下、簡単に「インセル表示装置」とする。）は、図１に示すように、パネル１０の表示領域１１でデータラインと平行に一つのブロック形態に形成される受信電極ＲＸと、表示領域１１内で受信電極ＲＸを介して配置される複数の駆動電極部１１で構成されてゲートラインと平行に形成される駆動電極ＴＸと、パネル１０の非表示領域に形成されて前記データラインと前記ゲートラインに出力される信号を制御し、駆動電極ＴＸと受信電極ＲＸに共通電圧又はセンシングパルスを印加するためのディスプレイドライバー５０と、受信電極ＲＸから延長されてディスプレイドライバー５０と連結される受信電極配線と、駆動電極部１１から前記データラインと平行に延長されてディスプレイドライバー５０と連結される駆動電極配線と、ディスプレイドライバー５０を通じて連結された駆動電極ＴＸと受信電極ＲＸを利用してタッチの有無を感知するためのタッチセンシング部（不図示）とを含めて構成されることができる。
【０００７】
上述したように構成された、従来のインセル表示装置では、図２に示すように、１フレーム（１Ｆｒａｍｅ）に対応する期間（以下、簡単に「１フレーム期間」とする。）が、映像出力期間（Ｄｉｓｐｌａｙ）とタッチセンシング期間（Ｔｏｕｃｈ）に分離されている。
【０００８】
即ち、従来のインセル表示装置は、映像出力機能とタッチ感知機能を同時に奏し、このため、映像出力用の共通電極は、前記パネル１０がタッチ感知モードで動作する時には、駆動電極の機能を共に奏する。
【０００９】
従って、従来のインセル表示装置に適用されるタッチパネルは、映像出力期間には共通電圧が供給され、タッチセンシング期間にはセンシングパルスが供給される前記駆動電極ＴＸと、映像出力期間には共通電圧が供給され、タッチセンシング期間には基準電圧が供給される受信電極ＲＸとから構成される。
【００１０】
この場合、映像出力期間には、駆動電極ＴＸ及び受信電極ＲＸに共通電圧が供給される。また、タッチセンシング期間には、駆動電極ＴＸにはパルス形態のセンシングパルスが供給され、受信電極ＲＸには基準電圧が供給される。
【００１１】
１フレーム期間が始まると、まず、映像出力期間が進行し、映像出力期間以後に、タッチセンシング期間が進行する。しかし、映像出力期間とタッチセンシング期間の順序は変わることもある。
【００１２】
このように構成される従来の表示装置において、タッチセンシング期間の間、前記データラインはグラウンドＧＮＤに連結されることができ、また、フローティング状態で維持されることもできる。
【００１３】
まず、タッチセンシング期間の間、前記データラインは、前記データラインの安定化のために、前記データラインがグラウンドＧＮＤに連結されることができる。
【００１４】
データラインと同一方向に配置される受信電極ＲＸは、前記データラインと重なるようパネル１０に形成されているので、前記データラインがグラウンドに連結される場合、前記データラインと受信電極ＲＸとの間にはキャパシタンスが形成される。前記データラインと受信電極ＲＸとの間に形成されるキャパシタンスは、受信電極ＲＸの寄生キャパシタンスである。
【００１５】
この寄生キャパシタンスの影響により、図３に示すように、前記データラインにノイズが発生することがあり、受信電極ＲＸの寄生キャパシタンスは、タッチセンシング部によるタッチパネルのタッチの有無の判断機能を低下させる。
【００１６】
次に、前記データラインが、タッチセンシング期間の間、グラウンドに連結されると、前述したように寄生キャパシタンスが発生し、タッチセンシング部のタッチ感度が低下することがある。寄生キャパシタンスを減少させ、タッチセンシング部のタッチ感度を増加させるために、タッチセンシング期間の間、前記データラインは、フローティング（Ｆｌｏａｔｉｎｇ）状態で維持されることができる。
【００１７】
しかし、前記データラインがフローティング状態で維持されている状態で、タッチパネルのタッチの有無が判断されると、前記データラインが不安定になり、第一駆動電極ＴＸ１に対するタッチの有無の判断が正常的に行われない可能性がある。
【００１８】
例えば、前記寄生キャパシタンスの減少のために、図４に示すように、前記映像出力期間（図４でＤｉｓｐｌａｙと表示されている期間を意味する。）の間、任意のデータ電圧を維持していた前記データラインが、タッチセンシング期間（図４でＴｏｕｃｈと表示されている期間を意味する。）にフローティング（Ｆｌｏａｔｉｎｇ）状態に変化すると、映像出力期間に維持していた任意の電圧値によって、前記データラインが不安定に維持される。
【００１９】
このような状態で、タッチ感知のために、駆動電極ＴＸに前記センシングパルスが供給されると、前記センシングパルスと前記データラインとの電圧間にカップリング（Ｃｏｕｐｌｉｎｇ）成分が発生する。このカップリング成分は、前記センシングパルスが最初に供給される第一駆動電極ＴＸ１と、第一駆動電極ＴＸ１以後に前記センシングパルスが供給される駆動電極（ＴＸ２を含む）とに、互いに異なる大きさを持って表れる。
【００２０】
従って、第一駆動電極ＴＸ１と、以後の駆動電極から受信される感知信号には偏差が発生することになる。
【００２１】
即ち、タッチセンシング期間の間に前記データラインがグラウンドに連結されている場合には、前記データラインと受信電極ＲＸとの間に寄生キャパシタンスが発生するのでタッチ感知機能が低下し、タッチセンシング期間の間に前記データラインがフローティング状態に維持されると、センシングパルスが最初に供給される駆動電極から受信される感知信号と、他の駆動電極から受信される感知信号との間に偏差が発生し、タッチ感度が低下する。
【００２２】
敷衍して説明すると、図３（ａ）及び図４（ａ）において、ＴＸ１及びＴＸ２で示されている領域は、第一駆動電極ＴＸ１と第二駆動電極ＴＸ２にセンシングパルスが供給されるタイミングを意味する。即ち、前記データラインがグラウンドに連結されたり又はフローティング状態に維持される場合、第一駆動電極ＴＸ１と第二駆動電極ＴＸ２にセンシングパルスが供給される間、図３（ａ）及び図４（ａ）に示すように、前記データラインに不安定な電圧が誘導されるため、第一駆動電極ＴＸ１と第二駆動電極ＴＸ２に対するタッチの有無の判断が正確に行われない可能性がある。
【発明の概要】
【発明が解決しようとする課題】
【００２３】
そこで、本発明は、上述した問題点を解決するためのものであって、タッチセンシング期間中、センシングパルスが駆動電極に供給されない期間（センシングパルス未出力期間）にはデータラインをグラウンドに連結させ、センシングパルスが前記駆動電極に供給される期間（センシングパルス出力期間）には前記データラインをフローティングさせることができる、表示装置及びその駆動方法を提供することを技術的課題としている。
【課題を解決するための手段】
【００２４】
上述した目的を達成するための本発明による表示装置は、複数の駆動電極と受信電極で形成されるタッチパネルが内蔵されたパネルと、タッチセンシング期間に前記駆動電極にセンシングパルスを供給するタッチ感知部と、映像出力期間に前記パネルを駆動して前記パネルを通じで映像が出力されるようにする駆動部、及び前記タッチセンシング期間中、前記センシングパルスが前記駆動電極に供給されないセンシングパルス未出力期間には前記データラインをグラウンドに連結させるデータライン制御部を含む。
【００２５】
上述した目的を達成するための本発明による表示装置駆動方法は、タッチセンシング期間が到来した後、駆動電極にセンシングパルスが供給される前までのタッチ準備期間の間、前記パネルに形成されているデータラインをグラウンドに連結させる段階と、及び前記タッチ準備期間の以後、前記タッチセンシング期間が終了するまで、前記駆動電極に前記センシングパルスが供給される間は、前記データラインをフローティングさせる段階を含む。
【発明の効果】
【００２６】
本発明は、センシングパルスが駆動電極に供給される前に、データラインがグラウンドに連結されて安定することによって、以後に行われるタッチの有無判断の正確度を高めることができる。
【００２７】
また、本発明は、センシングパルスが駆動電極に供給される期間に、前記データラインがフローティングされることによって、前記データラインと受信電極との間に寄生キャパシタンスが発生しなくなり、これによってタッチ感知部でのタッチ感度を高めることができる。
【図面の簡単な説明】
【００２８】
【図１】従来のミューチュアル方式を利用したインセル表示装置の構成を示す例示図である。
【図２】従来のミューチュアル方式を利用したインセル表示装置での映像出力期間とタッチセンシング期間を示す波形図である。
【図３】従来のミューチュアル方式を利用したインセル表示装置に適用されるデータラインの波形図である。
【図４】従来のミューチュアル方式を利用したインセル表示装置に適用されるデータラインの波形図である。
【図５】本発明による表示装置の構成を示す例示図である。
【図６】本発明の第１の実施例による表示装置の構成を概略的に示す例示図である。
【図７】本発明の第２の実施例による表示装置の構成を概略的に示す例示図である。
【図８】本発明による表示装置駆動方法に適用される多様な波形を示す例示図である。
【発明を実施するための形態】
【００２９】
以下、添付の図面を参照しながら、本発明の実施例について詳細に説明する。
【００３０】
さらに、以下では、説明の便宜上、液晶表示装置を本発明の一例として説明するが、本発明はこれに限定されるものではない。すなわち、本発明は、共通電極及び共通電圧を用いて映像を表示することができる様々な表示装置に適用されることができる。
【００３１】
図５は、本発明による表示装置の構成を示す例示図であり、ミューチュアル方式表示装置を示している。以下では、本発明による表示装置の基本的な構成要素及び基本的な駆動方法を説明する。
【００３２】
本発明による表示装置は、図５に示すように、複数の駆動電極ＴＸ１〜ＴＸｍ及び複数の受信電極ＲＸ１〜ＲＸｎから形成されるタッチパネル１１０が内蔵されたパネル１００と、タッチセンシング期間の間、駆動電極ＴＸ１〜ＴＸｍにセンシングパルスを順次供給して、タッチパネル１１０のタッチの有無を判断するタッチ感知部６００と、映像出力期間にパネル１００を駆動し、パネル１００を通じて映像が出力されるようにする駆動部５００と、タッチセンシング期間中、センシングパルスが駆動電極ＴＸ１〜ＴＸｍに供給されない期間（「センシングパルス未出力期間」という。）には前記データラインをグラウンドに連結させるデータライン制御部(不図示)を含む。
【００３３】
パネル１００は、映像を出力する機能を奏する。パネル１００には、複数の駆動電極ＴＸ１〜ＴＸｍと受信電極ＲＸ１〜ＲＸｎから形成されるミューチュアル方式のタッチパネル１１０が内蔵されている。
【００３４】
即ち、パネル１００は、駆動電極ＴＸ１〜ＴＸｍと受信電極ＲＸ１〜ＲＸｎに供給される共通電圧により映像を出力する。
【００３５】
パネル１００の種類は、前記表示装置の種類によって変えることができ、特に、前記表示装置が液晶表示装置（ＬＣＤ）である場合には２枚のガラス基板の間に液晶層が形成された液晶パネルであることができる。
【００３６】
この場合、パネル１００の下部ガラス基板には、多数のデータラインと、前記データラインと交差する多数のゲートラインと、前記データラインと前記ゲートラインの交差部に形成される多数の薄膜トランジスター（ＴＦＴ：Thin Film Transistor)と、ピクセルにデータ電圧を充電させるための多数のピクセル電極と、前記ピクセル電極と共に液晶層に充填された液晶を駆動するための共通電極が形成される。限定されないが、本発明での共通電極は、駆動電極ＴＸ１〜ＴＸｍ及び受信電極ＲＸ１〜ＲＸｎを意味し、パネル１００には、前記データラインと前記ゲートラインの交差構造により前記ピクセルがマトリックス状に配置される 。
【００３７】
また、パネル１００の上部ガラス基板には、ブラックマトリックス（ＢＭ）とカラーフィルターが形成される。
【００３８】
本発明は、このように、パネル１００内に、タッチパネル１１０を構成する駆動電極ＴＸ１〜ＴＸｍ及び受信電極ＲＸ１〜ＲＸｎが含まれているタッチパネル内蔵型表示装置に関するものである。
【００３９】
次に、タッチパネル１１０は、ユーザーのタッチの有無を感知する機能を奏するものであって、特に、本発明に適用されるタッチパネル１１０は、ミューチュアル方式を適用した静電容量方式を利用している。
【００４０】
タッチパネル１１０は、駆動電極ＴＸ１〜ＴＸｍ及び受信電極ＲＸ１〜ＲＸｎを含む。
【００４１】
駆動電極ＴＸ１〜ＴＸｍ及び受信電極ＲＸ１〜ＲＸｎは、タッチセンシング期間の間にはタッチ感知部６００から転送されるセンシングパルスによって感知信号を生成する機能を奏し、映像出力期間の間にはパネル１００の各ピクセルに形成されているピクセル電極と共に液晶を駆動する機能を奏する。
【００４２】
駆動電極ＴＸ１〜ＴＸｍ及び受信電極ＲＸ１〜ＲＸｎは、タッチ感知部６００と連結されている。この場合、駆動電極ＴＸ１〜ＴＸｍ及び受信電極ＲＸ１〜ＲＸｎは、駆動部５００を通じてタッチ感知部６００と連結されることができ、タッチ感知部６００と直接連結されるようにしてもよい。
【００４３】
本発明に適用されるタッチパネル１１０は、前記のように、静電容量方式を利用するものであって、パネル１００に内蔵されている。即ち、本発明に適用されるタッチパネル１１０の駆動電極ＴＸ１〜ＴＸｍ及び受信電極ＲＸ１〜ＲＸｎは、ピクセル電極と共に液晶を駆動するための共通電極の機能及びタッチの有無を判断する媒体としての機能を奏する。
【００４４】
タッチパネル１１０は、ブロック形態で互いに離隔されて、映像出力期間には共通電圧が供給され、タッチセンシング期間にはセンシングパルスが供給される駆動電極ＴＸ１〜ＴＸｍ及び受信電極ＲＸ１〜ＲＸｎを含む 。
【００４５】
受信電極ＲＸ１〜ＲＸｎ各々は、パネル１００内で前記データラインと平行に一つのブロック形態で形成されている。
【００４６】
駆動電極ＴＸ１〜ＴＸｍ各々は、パネル１１０内で受信電極ＲＸ１〜ＲＸｎをあいだに介して配置され、ブロック形態で形成される複数の駆動電極部を含む。
【００４７】
即ち、図５において縦方向の長いブロック形態のラインは、受信電極ＲＸ１〜ＲＸｎを示し、受信電極ＲＸ１〜ＲＸｎの間に形成されているブロックは駆動電極部ＴＸ１〜ＴＸｍである。図５において横方向に受信電極ＲＸ１〜ＲＸｎと交互に配置され、横方向に一列で形成されている複数の駆動電極部が、一つの駆動電極ＴＸを形成する。したがって、一つの駆動電極ＴＸを形成する複数の駆動電極部には、タッチセンシング期間の間に同一のセンシングパルスが供給される。
【００４８】
なお、駆動電極ＴＸ１〜ＴＸｍ及び受信電極ＲＸ１〜ＲＸｎは反対に形成されることもできる。例えば、図５で示す受信電極ＲＸ１〜ＲＸｎが駆動電極の機能を奏するようにし、駆動電極ＴＸ１〜ＴＸｍが受信電極の機能を奏するようにしてもよい。
【００４９】
次に、駆動部５００は、前記ゲートラインに入力される信号を制御するためのゲートドライバー２００と、前記データラインに入力される信号を制御するためのデータドライバー３００と、ゲートドライバー２００及びデータドライバー３００を制御するためのタイミングコントローラー４００で構成されることができる。
【００５０】
ゲートドライバー２００、データドライバー３００及び前記タイミングコントローラー４００は、図５に示すように、一つの集積回路（ＩＣ）で構成してもよいし、個別のＩＣで構成してもよい。
【００５１】
タイミングコントローラー４００は、外部システムからデータイネーブル信号、ドットクロック等のタイミング信号の入力を受け、データドライバー３００とゲートドライバー２００の動作タイミングを制御するための制御信号を発生する。また、タイミングコントローラー４００は、外部システムから入力された入力映像データを再整列して、再整列された映像データをデータドライバー３００に出力する機能を奏する。
【００５２】
タイミングコントローラー４００は、データドライバー３００とゲートドライバー２００を制御すると共に、タッチ感知部６００の入出力動作のタイミングを制御するための制御信号と、タッチ感知部６００が共通電圧又はセンシングパルスのうちのいずれか一つを駆動電極ＴＸ１〜ＴＸｍに印加するようにするための制御信号とを発生して、タッチ感知部６００に転送することができる。
【００５３】
駆動電極ＴＸ１〜ＴＸｍ及び受信電極ＲＸ１〜ＲＸｎに出力される共通電圧は、共通電圧生成部で生成され駆動部５００を通じて出力されることができるが、駆動部５００から前記制御信号の転送を受けたタッチ感知部６００を通じて出力されることもできる。また、前記センシングパルスは、タイミングコントローラー４００から前記制御信号の転送を受けたタッチ感知部６００を通じて出力されるが、タッチ感知部６００から出力された後、タイミングコントローラー４００を通じて駆動電極ＴＸ１〜ＴＸｍに順次供給されるようにしてもよい。
【００５４】
タイミングコントローラー４００は、映像出力期間とタッチセンシング期間を区分するためのタッチシンク信号ＴＳＳを生成して、タッチ感知部６００に転送することができる。
【００５５】
また、タイミングコントローラー４００は、タッチセンシング期間中、センシングパルスが駆動電極ＴＸ１〜ＴＸｍに供給されないセンシングパルス未出力期間には、前記データラインがグラウンドに連結されるようにするためのデータラインシンク信号ＤＳＳをデータライン制御部７００に転送することができる。データラインシンク信号ＤＳＳは、タイミングコントローラー４００から生成されデータライン制御部７００に出力されるが、タッチ感知部６００からタイミングコントローラー４００に転送されてデータライン制御部７００に出力されたり、タッチ感知部６００からデータライン制御部７００に出力されるようにしてもよい。
【００５６】
タッチシンク信号ＴＳＳ及びデータラインシンク信号ＤＳＳ等は、前記タイミング信号によって生成されることができる。
【００５７】
データドライバー３００は、タイミングコントローラー４００から入力された映像データをデータ電圧に変換し、前記ゲートラインにスキャンパルスが供給される１水平期間毎に１水平ライン分のデータ電圧を前記データラインに供給する。即ち、データドライバー３００は、ガンマ電圧発生部（不図示）から供給されるガンマ電圧を利用して、映像データをデータ電圧に変換した後、前記データラインに出力する。
【００５８】
データドライバー３００は、タイミングコントローラー４００から転送されたソーススタートパルスをソースシフトクロックによってシフトさせてサンプリング信号を発生する。そして、データドライバー３００は、前記ソースシフトクロックによって入力される映像データを前記サンプリング信号によってラッチし、データ電圧に変更した後、前記ソース出力イネーブル信号に応答して水平ライン単位で前記データ電圧を前記データラインに供給する。
【００５９】
このために、データドライバー３００は、シフトレジスター部、ラッチ部、デジタルアナログ変換部及び出力バッファー等を含んで構成されることができる。
【００６０】
ゲートドライバー２００は、タイミングコントローラー４００で生成されたゲート制御信号を利用して前記ゲートラインにスキャンパルスを順次供給する。前記スキャンパルスに応答してパネル１００の薄膜トランジスターＴＦＴは、パネル１００の水平ライン単位で駆動される。
【００６１】
次に、タッチ感知部６００は、タッチセンシング期間に駆動電極ＴＸ１〜ＴＸｍにセンシングパルスを順次供給して、タッチパネル１１０に対するタッチの有無を判断する。
【００６２】
このために、タッチ感知部６００は、前記センシングパルスを駆動電極ＴＸ１〜ＴＸｍに順次出力するための駆動部（不図示）と、前記センシングパルスによって受信電極ＲＸ１〜ＲＸｎから受信される感知信号を利用して、駆動電極ＴＸ１〜ＴＸｍでのタッチの有無を判断するための受信部（不図示）とを含む。
【００６３】
タッチ感知部６００は、タッチセンシング期間中、センシングパルスが駆動電極ＴＸ１〜ＴＸｍに供給されないセンシングパルス未出力期間には、前記データラインがグラウンドに連結されるようにするためのデータラインシンク信号ＤＳＳを生成して、タイミングコントローラー４００に転送することができる。データラインシンク信号ＤＳＳは、センシングパルスＳＰと同期する信号である。
【００６４】
タッチ感知部６００は、駆動部５００に形成されることもできる。特に、タッチ感知部６００は、タイミングコントローラー４００と一体に形成されることもできる。
【００６５】
また、前記センシングパルスは、タッチ感知部６００から出力され、駆動電極ＴＸ１〜ＴＸｍに直接転送されるが、駆動部５００を通じて駆動電極ＴＸ１〜ＴＸｍに転送されたり、特に、タイミングコントローラー４００を通じて駆動電極ＴＸ１〜ＴＸｍに転送されるようにしてもよい。
【００６６】
前記データライン制御部（不図示）は、タッチセンシング期間中、センシングパルスが駆動電極ＴＸ１〜ＴＸｍに供給されないセンシングパルス未出力期間には前記データラインをグラウンドに連結させる機能を奏する。
【００６７】
特に、前記データライン制御部は、タッチセンシング期間が到来した後、駆動電極ＴＸ１〜ＴＸｍにセンシングパルスが供給される前までのタッチ準備期間の間、パネル１００に形成されているデータラインをグラウンドに連結させ、そして、タッチ準備期間の後からタッチセンシング期間が終了されるまで、駆動電極ＴＸ１〜ＴＸｍにセンシングパルスが供給されるセンシングパルス出力期間に前記データラインをフローティングさせる。
【００６８】
また、前記データライン制御部は、タッチセンシング期間中、駆動電極ＴＸ１〜ＴＸｍにセンシングパルスが供給されるセンシングパルス出力期間には前記データラインをフローティングさせ、タッチセンシング期間中、前記センシングパルス未出力期間には前記データラインをグラウンドに連結させる過程を、反復的に行う。
【００６９】
即ち、前記データライン制御部は、駆動部５００から受信されるデータラインシンク信号ＤＳＳによって、前記データラインをグラウンドに連結させたり、又は前記データラインをフローティングさせる機能を奏する。
【００７０】
以下では、前記データライン制御部の具体的な構成及び機能について、図６〜図８を参照しながら詳細に説明する。
【００７１】
図６は、本発明の第１の実施例による表示装置の構成を概略的に示す例示図であり、図７は、本発明の第２の実施例による表示装置の構成を概略的に示す例示図である。
【００７２】
本発明による表示装置は、図５乃至図７に示したように、複数の駆動電極ＴＸ１〜ＴＸｍと受信電極ＲＸ１〜ＲＸｎから形成されるタッチパネル１１０が内蔵されているパネル１００と、タッチセンシング期間の間、駆動電極ＴＸ１〜ＴＸｍにセンシングパルスを順次供給してタッチパネル１１０に対するタッチの有無を判断するタッチ感知部６００と、映像出力期間にパネル１００を駆動し、パネル１００を通じて映像が出力されるようにする駆動部５００と、タッチセンシング期間中、センシングパルスが駆動電極ＴＸ１〜ＴＸｍに供給されないセンシングパルス未出力期間には前記データラインをグラウンドに連結させるデータライン制御部７００とを含む。
【００７３】
ここで、パネル１００、タッチパネル１１０、駆動部５００及びタッチ感知部６００は、図５を参照して上述した内容と同一であるため、これに対する詳細な説明は省略する。 従って、以下では、データライン制御部７００の構成を詳細に説明する。
【００７４】
データライン制御部７００は、タッチセンシング期間中、センシングパルスが駆動電極ＴＸ１〜ＴＸｍに供給されないセンシングパルス未出力期間には前記データラインをグラウンドに連結させる機能を奏する。
【００７５】
特に、データライン制御部７００は、タッチセンシング期間が到来した後、駆動電極ＴＸ１〜ＴＸｍにセンシングパルスが供給される前までのタッチ準備期間の間、パネル１００に形成されているデータラインをグラウンドに連結させ、そして、タッチ準備期間の後、タッチセンシング期間が終了されるまで、駆動電極ＴＸ１〜ＴＸｍにセンシングパルスが供給されるセンシングパルス出力期間には、前記データラインをフローティングさせる機能を奏する。
【００７６】
また、データライン制御部７００は、タッチセンシング期間中、駆動電極ＴＸ１〜ＴＸｍにセンシングパルスが供給されるセンシングパルス出力期間には前記データラインをフローティングさせ、タッチセンシング期間中、前記センシングパルス未出力期間には、前記データラインをグラウンドに連結させる過程を、反復的に行う。
【００７７】
ここで、データライン制御部７００は、駆動部５００、特にタイミングコントローラー４００から受信されるデータラインシンク信号ＤＳＳによって、前記データラインをグラウンドに連結させたり、又は前記データラインをフローティングさせたりする。
【００７８】
駆動部５００は、前述したように、パネル１００に形成されている前記データラインにデータ電圧を供給するデータドライバー３００を含み、データライン制御部７００は、データドライバー３００と連結されている。
【００７９】
この場合、本発明の第１の実施例による表示装置では、図６に示すように、データライン制御部７００が、データドライバー３００及びタイミングコントローラー４００と分離され、パネル１００の非表示領域に独立的に形成されている。
【００８０】
しかし、本発明の第２の実施例による表示装置では、図７に示すように、データライン制御部７００が、データドライバー３００内部に形成されている。即ち、本発明の第２の実施例による表示装置では、データライン制御部７００がデータドライバー３００と一体に形成されている。
【００８１】
即ち、本発明による表示装置において、データドライバー３００は、データドライバー３００と分離されて、パネル１００の非表示領域に形成されるようにしてもよいし、データドライバー３００内部に形成されるようにしてもよい。
【００８２】
また、データライン制御部７００は、駆動部５００に形成されることもできる。即ち、データライン制御部７００は、駆動部５００と一体に形成されることもできる。
【００８３】
前記のような機能を奏するために、データライン制御部７００は、図６〜図７に示すように、パネル１００に形成されている前記データラインの数に対応する数のスイッチ７１０を含むことができる。例えば、前記データラインが、５７６０（＝１９２０ｘ３）本形成されている場合、５７６０個のスイッチ７１０が、パネル１００の非表示領域、又はデータドライバー３００の内部、又は駆動部５００の内部に形成される。
【００８４】
スイッチ７１０各々は、グラウンドと連結されている第１の端子７１１、データドライバー３００と連結されている第２の端子７１２、データラインＤＬと連結されている第３の端子７１３及びフローティングされている第４の端子７１４を含む。
【００８５】
第１の端子７１１は、パネル１００の非表示領域、又はデータドライバー３００、又は駆動部５００、又はパネル１００と連結されている印刷回路基板（不図示）に形成されているグラウンドと連結されている。
【００８６】
即ち、グラウンドＧＮＤは、パネル１００及びパネル１００と電気的に連結された多様な構成要素に形成されることができ、第１の端子７１１と連結されている。
【００８７】
第２の端子７１２は、データドライバー３００と連結されている。特に、第２の端子７１２は、データドライバー３００に形成されて前記データラインにデータ電圧を出力するデータ出力ライン（不図示）と連結されている。
【００８８】
図６に示された本発明の第１の実施例のように、データドライバー３００が、集積回路ＩＣで形成されパネル１００に装着され、データライン制御部７００がデータドライバー３００と独立的にパネル１００の非表示領域に装着されている場合、第２の端子７１２は、データドライバーの出力端子のうち、データ電圧を出力する出力端子と連結されている。この場合、前記出力端子は、前記データ出力ラインになる。
【００８９】
図７に示された本発明の第２の実施例のように、データライン制御部７００がデータドライバー３００内部に形成されている場合、第２の端子７１２は、前記デジタルアナログ変換部の出力端子 、又は前記出力バッファーの出力端子等に連結されている。
【００９０】
データドライバー３００を構成する前記デジタルアナログ変換部は、タイミングコントローラー４００から転送された映像データをデータ電圧に変換させる機能を奏する。映像データはデジタル値であり、データ電圧はアナログ値である。即ち、データドライバー３００は、デジタル値である映像データをアナログ値であるデータ電圧に変換させる機能を奏する。
【００９１】
この場合、前記デジタルアナログ変換部から出力するデータ電圧は、前記データライン別に生成される。したがって、前記デジタルアナログ変換部は、前記データラインに対応される数の出力端子を含む。
【００９２】
従って、第２の端子７１２は、前記デジタルアナログ変換部と連結されている前記出力端子に連結されることができる。
【００９３】
また、前記出力バッファーは、前記デジタルアナログ変換部から転送されたデータ電圧を、タイミングコントローラー４００から転送された制御信号によって１水平期間の間、前記データラインに同時に出力する機能を奏する。
【００９４】
この場合、前記出力バッファーの出力端子は、前記データラインと１対１で連結されている。
【００９５】
従って、第２の端子７１２は、前記出力バッファーと連結されている前記出力端子に連結されることができる。
【００９６】
即ち、データライン制御部７００がデータドライバー３００内部に形成されている場合、データライン制御部７００を構成する各スイッチ７１０の第２の端子７１２は、前記デジタルアナログ変換部の出力端子、又は前記出力バッファーの出力端子に連結されることができる。
【００９７】
また、本発明の第１の実施例のように、データライン制御部７００がデータドライバー３００と独立的に形成されている場合、第２の端子７１２は実質的に前記出力バッファーの出力端子に連結されることができる。
【００９８】
第３の端子７１３は、データラインＤＬと連結されている。
【００９９】
第４の端子７１４は、フローティングされている。即ち、第４の端子７１４には、どのような電圧も供給されない。しかし、第４の端子７１４は省略されることもできる。この時、データラインＤＬがフローティングされるべきである場合には、スイッチ７１０はデータライン７１３と連結されている第３の端子７１３を第１の端子７１１及び第２の端子７１２全てと連結されないようにすることによって、前記データラインＤＬがフローティングされるようにすることができる。
【０１００】
スイッチ７１０各々は、タッチセンシング期間中、センシングパルスが駆動電極ＴＸ１〜ＴＸｍに供給されないセンシングパルス未出力期間には、駆動部５００から受信されるデータラインシンク信号ＤＳＳによって、第１の端子７１１を第３の端子７１３と連結させる。
【０１０１】
また、スイッチ７１０各々は、タッチセンシング期間中、センシングパルスが駆動電極ＴＸ１〜ＴＸｍに供給されるセンシングパルス出力期間にはデータラインシンク信号ＤＳＳによって、第４の端子７１４を第３の端子７１３と連結させたり、又は、第３の端子７１３が第１の端子７１１及び第２の端子７１２のいずれとも連結されないようにすることもできる。
【０１０２】
以下では、図８を参照して、本発明による表示装置駆動方法を詳細に説明する。
【０１０３】
図８は、本発明による表示装置駆動方法に適用される様々な波形を示した例示図である。図８でＳＳと表示された信号は、受信電極ＲＸ１〜ＲＸｎで受信される感知信号（Sensing Signal）である。
【０１０４】
先ず、駆動部５００は、映像出力期間（図８で、Ｄｉｓｐｌａｙと表示されている期間）には、データドライバー３００及びゲートドライバー２００を駆動してパネル１００で映像が出力されるようにする。
【０１０５】
次に、タッチ感知部６００は、駆動部５００から転送されたタッチシンク信号ＴＳＳが、タッチセンシング期間（図８でＴｏｕｃｈと表示されている期間）を意味すると、図８に示されたように、駆動電極ＴＸ１〜ＴＸｍに順次的にセンシングパルスＳＰを出力する。
【０１０６】
次に、データライン制御部７００は、タッチセンシング期間が到来した後、駆動電極ＴＸ１〜ＴＸｍにセンシングパルスが供給される前までのタッチ準備期間Ｘの間、パネル１００に形成されているデータラインをグラウンドに連結させる。
【０１０７】
例えば、前記タッチセンシング期間が到来すると、駆動部５００は、図８に示されたように、ハイレベルのデータラインシンク信号ＤＳＳをデータライン制御部７００に転送する。
【０１０８】
この場合、データライン制御部７００は、データラインＤＬと連結されているスイッチ７１０各々の第３の端子７１３を、前記グラウンドと連結されている第１の端子７１１と連結させる。即ち、データライン制御部７００は、前記スイッチをスイッチングさせてデータラインＤＬを前記グラウンドと連結させる。
【０１０９】
センシングパルスＳＰが前記駆動電極に供給される前にデータラインＤＬが前記グラウンドに連結されて安定することによって、以後行われるタッチの有無判断の正確度を高めることができる。
【０１１０】
最後に、データライン制御部７００は、タッチ準備期間Ｘ以後、前記タッチセンシング期間が終了するまで、前記駆動電極に前記センシングパルスが供給されるセンシングパルス出力期間Ｙには、前記データラインをフローティングさせる。これを具体的に説明すると次のようである。
【０１１１】
まず、前記タッチセンシング期間中、前記駆動電極に前記センシングパルスが供給されるセンシングパルス出力期間Ｙには、駆動部５００がロウレベルを有するデータラインシンク信号ＤＳＳをスイッチ７１０に転送する。
【０１１２】
この場合、スイッチ７１０各々は、データラインＤＬと連結されている第３の端子７１３をフローティング状態に維持されている第４の端子７１４と連結させる。また、他の方法として、スイッチ７１０各々は、第３の端子７１３を第１の端子７１１及び第２の端子７１２全てと連結されないようにする。これによって、データラインＤＬは、フローティング（Floating）される。
【０１１３】
データラインＤＬがフローティングされることによって、前記データラインと受信電極ＲＸ１〜ＲＸｎの間に寄生キャパシタンスは発生しない。したがって、タッチ感知部６００でのタッチ感度を高めることができる。
【０１１４】
次に、前記タッチセンシング期間中、前記駆動電極に前記センシングパルスが供給されないセンシングパルス未出力期間Ｚには、駆動部５００がロウレベルを有するデータラインシンク信号ＤＳＳをスイッチ７１０に転送する。
【０１１５】
この場合、データライン制御部７００は、データラインＤＬと連結されているスイッチ７１０各々の第３の端子７１３を、グラウンドＧＮＤと連結されている第１の端子７１１と連結させる。即ち、データライン制御部７００は、スイッチ７１０をスイッチングさせてデータラインＤＬを前記グラウンドと連結させる。
【０１１６】
センシングパルス未出力期間Ｚに、データラインＤＬが前記グラウンドに連結されて安定することによって、以後行われるタッチの有無判断の正確度を高めることができる。
【０１１７】
また、データライン制御部７００は、データラインシンク信号ＤＳＳによって、センシングパルス出力期間Ｙには前記データラインをフローティングさせ、センシングパルス未出力期間Ｚには前記データラインをグラウンドに連結させる過程を反復的に奏する。
【０１１８】
例えば、図８に示すように、データライン制御部７００は、タッチセンシング期間Ｔｏｕｃｈが到来した後、タッチ準備期間Ｘの間、前記データラインをグラウンドＧＮＤに連結させる。
【０１１９】
前記タッチ準備期間Ｘが終了し、第１の駆動電極ＴＸ１にセンシングパルスＳＰが供給されるセンシングパルス出力期間Ｙの間、データライン制御部７００は前記データラインをフローティング（Floating）状態に維持する。
【０１２０】
第１の駆動電極ＴＸ１にセンシングパルスＳＰが供給された後、前記駆動電極にセンシングパルスＳＰが供給されないセンシングパルス未出力期間Ｚの間、データライン制御部７００は前記データラインをグラウンドＧＮＤと連結させる 。
【０１２１】
センシングパルス未出力期間Ｚが終了し、第２の駆動電極ＴＸ２に前記センシングパルスが供給されるセンシングパルス出力期間Ｙが到来すると、データライン制御部７００は、再度前記データラインをフローティング状態に維持する。
【０１２２】
即ち、データライン制御部７００は、前記タッチセンシング期間中、第１の駆動電極ＴＸ１から第ｍの駆動電極ＴＸｍに順次的に前記センシングパルスが供給される前記センシングパルス出力期間Ｙには、前記データラインをフローティング状態に維持する。又、データライン制御部７００は、センシングパルス出力期間Ｙの間に形成されて前記駆動電極に前記センシングパルスが供給されない前記センシングパルス未出力期間Ｚには前記データラインをグラウンドに連結させる。
【０１２３】
このように、本発明によると、前記センシングパルスが前記駆動電極に供給される前に、前記データラインがグラウンドＧＮＤに連結されて安定することによって、以後行われるタッチの有無判断の正確度を高めることができる。
【０１２４】
また、本発明によると、前記センシングパルスが駆動電極に供給される期間には、前記データラインがフローティングされることによって、前記データラインと前記受信電極の間に寄生キャパシタンスが発生せず、これによって、タッチ感知部６００でのタッチ感度を高めることができる。
【０１２５】
即ち、本発明は、データラインの安定化のために、前記タッチセンシング期間中、前記センシングパルスが前記駆動電極に供給される前に、前記データラインをグラウンドに連結させる。以後、前記センシングパルスが前記駆動電極に順次的に供給される間、前記センシングパルスが実質的に前記駆動電極に供給される前記センシングパルス出力期間には、前記データラインをフローティング状態に維持することによって、実際に感知信号が受信される前記受信電極と前記データラインの間で発生する寄生キャパシタンスが減少することができ、これによってタッチ感度を高めることができる。又、前記センシングパルスが前記駆動電極に順次的に供給される間、前記センシングパルスが前記駆動電極に供給されない前記センシングパルス未出力期間には、前記データラインを前記グラウンドに連結させることによって、前記データラインを安定化させることができ、これによって、タッチ感度を高めることができる。
【０１２６】
本発明の属する技術の分野における当業者には、本発明がその技術的思想や必須特徴を変更せず他の具体的な形態に実施できるということが理解されるであろう。したがって、上述した実施例は、すべての面で例示的なものであり、限定的なものではないと理解しなければならない。本発明の範囲は、上記の詳細な説明よりは、後述する特許請求の範囲によって示され、特許請求の範囲の意味及び範囲、そしてその等価概念から導かれるすべての変更又は変形された形態が本発明の範囲に属するものと解釈しなければならない。
【符号の説明】
【０１２７】
１００    パネル
２００    ゲートドライバー
３００    データドライバー
４００    タイミングコントローラー
５００    駆動部
６００    タッチ感知部
７００    データライン制御部
７１０    スイッチ
【図１】
0005925279.tif 000002
【図２】
0005925279.tif 000003
【図３】
0005925279.tif 000004
【図４】
0005925279.tif 000005
【図５】
0005925279.tif 000006
【図６】
0005925279.tif 000007
【図７】
0005925279.tif 000008
【図８】
0005925279.tif 000009